(57)【要約】      （修正有）【課題】光源からの光を光記録媒体の情報記録面に集光する対物レンズを樹脂レンズとした場合でも、再生特性が劣化しない光ピックアップ装置を提供する。【解決手段】光ピックアップ装置は、光源１１と、光源１１から出射される光を光記録媒体７０の情報記録面７０ａに集光する対物レンズ１７と、光源１１と対物レンズ１７との間の光路中に配置され、光軸方向に可動して対物レンズ１７へと至る光の収束或いは発散状態を調整する可動レンズ１５と、可動レンズ１５の位置を調整するレンズ位置調整手段６と、対物レンズ１７のチルト量を調整するチルト量調整手段３と、環境温度を検出する温度検出手段５と、を備える。対物レンズ１７は、可動レンズ１５から対物レンズ１７へと至る光の光軸に対して傾いて配置される。環境温度の変動を検知した場合に、可動レンズ１５の位置を変更すると共に対物レンズ１７のチルト量を変更する。【選択図】図２
2010092536.tif 000002
【特許請求の範囲】
【請求項１】
光源と、
前記光源から出射される光を光記録媒体の情報記録面に集光する対物レンズと、
前記光源と前記対物レンズとの間の光路中に配置され、光軸方向に可動して前記対物レンズへと至る光の収束或いは発散状態を調整する可動レンズと、
前記可動レンズの位置を調整するレンズ位置調整手段と、
前記対物レンズのチルト量を調整するチルト量調整手段と、
環境温度を検出する温度検出手段と、を備え、
前記対物レンズは、前記可動レンズから前記対物レンズへと至る光の光軸に対して傾いて配置され、
前記環境温度の変動を検知した場合に、前記可動レンズの位置を変更すると共に前記対物レンズのチルト量を変更することを特徴とする光ピックアップ装置。
【請求項２】
前記チルト量調整手段は、特定の軸の軸回り方向に前記対物レンズを傾斜させることによって前記チルト量の調整を行い、
前記対物レンズが、前記可動レンズから前記対物レンズへと至る光の光軸に対して傾けられる方向は、前記チルト量調整手段で前記対物レンズを傾けることによってコマ収差を補正できる方向であることを特徴とする請求項１に記載の光ピックアップ装置。
【請求項３】
前記特定の軸は、フォーカス方向及びトラック方向に対して直交する軸であることを特徴とする請求項２に記載の光ピックアップ装置。
【請求項４】
前記チルト量調整手段は、前記対物レンズを保持するレンズホルダを傾けて前記対物レンズのチルト量を調整することを特徴とする請求項１から３のいずれかに記載の光ピックアップ装置。
【請求項５】
前記環境温度に対応した前記可動レンズの位置及び前記チルト量の情報を予め記憶した記憶手段を更に備え、
前記環境温度の変動を検知した場合に、前記記憶手段に記憶される前記可動レンズの位置及び前記チルト量の情報に基づいて、前記可動レンズの位置及び前記対物レンズのチルト量を変更することを特徴とする請求項１から４のいずれかに記載の光ピックアップ装置。
【請求項６】
前記環境温度に対応した前記可動レンズ位置の情報を予め記憶した記憶手段を更に備え、
前記環境温度の変動を検知した場合に、前記記憶手段に記憶される前記可動レンズ位置の情報に基づいて前記可動レンズの位置を変更し、
前記可動レンズ位置の調整後に前記チルト量を変動させながら最適なチルト量を決定することを特徴とする請求項１から４のいずれかに記載の光ピックアップ装置。
【請求項７】
前記可動レンズはコリメートレンズであることを特徴とする請求項１から６のいずれかに記載の光ピックアップ装置。
【発明の詳細な説明】
【技術分野】
【０００１】
本発明は、光記録媒体から情報を読み取ったり、光記録媒体に情報を書き込んだりする際に用いられる光ピックアップ装置に関する。詳細には、光源からの光を光記録媒体の情報記録面に集光する対物レンズが樹脂からなる光ピックアップ装置に対して好適な技術に関する。
【背景技術】
【０００２】
従来、ブルーレイディスク（ＢＤ）等の光ディスク（光記録媒体）に記録される情報の読み取りや光ディスクへの情報の書き込みは、光ピックアップ装置を用いて行われる。光ピックアップ装置には、光源からの光を光ディスクの情報記録面に集光する対物レンズが備えられる。従来、この対物レンズについて、例えば光ピックアップ装置のコストを低減するために、ガラスレンズではなく樹脂レンズを用いることがある（例えば、特許文献１、２参照）。
【０００３】
ところで樹脂レンズは、環境温度の変動に対して影響を受け易く、光ピックアップ装置が備える対物レンズを樹脂レンズとすると、環境温度の変化に伴って発生する球面収差の影響が問題となる。環境温度の変動によって発生する球面収差に対する対策として、例えば対物レンズ自体に回折溝を形成して球面収差を抑制することが従来行われている。
【０００４】
しかし、例えばＢＤに対応可能な光ピックアップ装置が備えるような高ＮＡ（例えばＮＡ＝０．８５）の対物レンズにおいては、対物レンズ自体に回折溝を設けて球面収差を抑制するのは容易ではない。
【特許文献１】特開平１０−４０５６９号公報
【特許文献２】特開２００３−２８７６７５号公報
【発明の開示】
【発明が解決しようとする課題】
【０００５】
以上のようなことから、本出願人は、光源と対物レンズとの間の光路中に配置されるコリメートレンズ（入射する光を平行光に変換するレンズで、従来、光ピックアップ装置に備えられるレンズである）を光軸方向に移動可能とし、環境温度の変動に伴ってコリメートレンズの位置を移動して球面収差を抑制する方式を検討している。コリメートレンズを光軸方向に移動すると、対物レンズに入射する光の収束状態或いは発散状態が変化する。そして、この収束状態或いは発散状態を調整することによって、対物レンズで発生する球面収差を抑制することができる。
【０００６】
しかしながら、本出願人はこのような方式について検討を行う中で、次のような問題点を見出した。図１０は、環境温度の変化に対する光ピックアップ装置のジッタ特性の変化を示す図で、横軸が環境温度で縦軸がジッタ値である。図１０において、白抜きの丸印は環境温度が変動しても光ピックアップ装置の設定を全く調整しない（未調整）場合のジッタ特性を示す。また、白抜きの三角印は環境温度の変動に伴ってコリメートレンズ位置を調整した場合のジッタ特性を示す。
【０００７】
なお、図１０の結果を得るにあたって、２５℃においてジッタ特性の最良値が得られるように光ピックアップ装置の構成を調整した。また、各温度におけるコリメートレンズの位置は、環境温度毎に最もジッタ特性が良くなる位置を調べ、そのような位置に配置した。
【０００８】
図１０によれば、光ピックアップ装置の構成を環境温度の変動に伴ってコリメートレンズの位置を移動する構成とすることで、ジッタ特性が向上する（すなわち再生性能が向上する）ことがわかる。しかしながら、特に低温側において、コリメートレンズ位置の調整を行ってもジッタ特性があまり良くなっていないことがわかる。すなわち、環境温度の変動によって対物レンズに発生する球面収差を補正できるように、コリメートレンズの位置を温度変動に伴って移動するだけでは、十分な再生特性が得られない場合があることがわかった。
【０００９】
そこで、本発明の目的は、光源からの光を光記録媒体の情報記録面に集光する対物レンズを樹脂レンズとした場合でも、再生特性が劣化しない光ピックアップ装置を提供することである。
【課題を解決するための手段】
【００１０】
上記目的を達成するために本発明の光ピックアップ装置は、光源と、前記光源から出射される光を光記録媒体の情報記録層に集光する対物レンズと、前記光源と前記対物レンズとの間の光路中に配置され、光軸方向に可動して前記対物レンズへと至る光の収束或いは発散状態を調整する可動レンズと、前記可動レンズの位置を調整するレンズ位置調整手段と、前記対物レンズのチルト量を調整するチルト量調整手段と、環境温度を検出する温度検出手段と、を備え、前記対物レンズは、前記可動レンズから前記対物レンズへと至る光の光軸に対して傾いて配置され、前記環境温度の変動を検知した場合に、前記可動レンズの位置を変更すると共に前記対物レンズのチルト量を変更することを特徴としている。
【００１１】
上述のように、対物レンズを樹脂レンズとした場合、環境温度の変動に伴って発生する球面収差を補正する必要がある。この点、本構成によれば、可動レンズの移動によって球面収差の補正を行える。一方で、本構成では、光ピックアップ装置の製造時において、対物レンズが持つコマ収差の影響を補正するために、対物レンズは可動レンズから対物レンズへと至る光の光軸に対して傾けて配置することとしている。このような構成では、球面収差の補正を行う目的で可動レンズの位置を移動した場合にコマ収差が発生してしまう。そこで、本構成では、環境温度の変動に伴って可動レンズの位置を変更すると共に、対物レンズのチルト量も変更する構成とし、球面収差とコマ収差の補正を同時に行っている。このため、本構成によれば、対物レンズを樹脂レンズとした場合でも、温度変動による収差の影響を適切に抑制できる。
【００１２】
上記構成の光ピックアップ装置のより具体的な構成として、前記チルト量調整手段は、特定の軸の軸回り方向に前記対物レンズを傾斜させることによって前記チルト量の調整を行い、前記対物レンズが、前記可動レンズから前記対物レンズへと至る光の光軸に対して傾けられる方向は、前記チルト量調整手段で前記対物レンズを傾けることによってコマ収差を補正できる方向であることとしてもよい。そして、この構成においては、前記特定の軸は、フォーカス方向及びトラック方向に対して直交する軸であるのが好ましい。
【００１３】
上記構成の光ピックアップ装置において、前記チルト量調整手段は、前記対物レンズを保持するレンズホルダを傾けて前記対物レンズのチルト量を調整する構成とするのが好ましい。この構成によれば、対物レンズをフォーカス方向やトラック方向へと移動するために備えられる対物レンズアクチュエータの構成に簡単な変更を加えるだけで、チルト量調整手段を得ることができる。
【００１４】
上記構成の光ピックアップ装置において、前記環境温度に対応した前記可動レンズの位置及び前記チルト量の情報を予め記憶した記憶手段を更に備え、前記環境温度の変動を検知した場合に、前記記憶手段に記憶される前記可動レンズの位置及び前記チルト量の情報に基づいて、前記可動レンズの位置及び前記対物レンズのチルト量を変更することとしてもよい。本構成によれば、環境温度が変動した場合に、適切に収差を抑制できる設定を迅速に得ることができる。
【００１５】
上記構成の光ピックアップ装置において、前記環境温度に対応した前記可動レンズ位置の情報を予め記憶した記憶手段を更に備え、前記環境温度の変動を検知した場合に、前記記憶手段に記憶される前記可動レンズ位置の情報に基づいて前記可動レンズの位置を変更し、前記可動レンズ位置の調整後に前記チルト量を変動させながら最適なチルト量を決定することとしてもよい。
【００１６】
上記構成の光ピックアップ装置において、前記可動レンズはコリメートレンズであるのが好ましい。対物レンズに至る光の収束或いは発散状態を調整して球面収差の補正を行う手段として、例えばビームエキスパンダを用いる手法もある。ビームエキスパンダには、通常少なくとも１つの可動レンズが備えられる。このため、本発明の可動レンズをビームエキスパンダが備える可動レンズとすることも可能である。しかし、本構成のように、可動レンズをコリメートレンズとした方が、光ピックアップ装置が備える光学系の部品点数を少なくできて好ましい。
【発明の効果】
【００１７】
本発明の光ピックアップ装置によれば、光源からの光を光記録媒体の情報記録面に集光する対物レンズを樹脂レンズとした場合でも、環境温度の変動に対応して収差を適切に抑制することが可能である。すなわち、本発明によれば、前記対物レンズが樹脂レンズである場合でも再生特性が劣化しない光ピックアップ装置を提供できる。
【発明を実施するための最良の形態】
【００１８】
以下、本発明の光ピックアップ装置の実施形態について、図面を参照しながら説明する。
【００１９】
（光ピックアップ装置の構成）
まず、本実施形態の光ピックアップ装置の構成について、図１〜図４を参照しながら説明する。図１は、本実施形態の光ピックアップ装置の構成を示す概略平面図である。図２は、本実施形態の光ピックアップ装置が備える光学系の構成を説明するための概略図である。図３は、本実施形態の光ピックアップ装置が備えるコリメートレンズ位置調整機構の構成を示す概略平面図である。図４は、本実施形態の光ピックアップ装置が備える対物レンズアクチュエータの構成を説明するための図で、図４（ａ）は対物レンズアクチュエータの全体構成を示す概略斜視図、図４（ｂ）は対物レンズアクチュエータが備えるコイルの構成を示す概略斜視図である。
【００２０】
図１に示すように、本実施形態の光ピックアップ装置１はスライドベース２を備える。このスライドベース２には、２種類の軸受け部２ａ、２ｂが設けられる。スライドベース２が、軸受け部２ａ、２ｂを用いて半径方向に延びる２本のガイドシャフト７１に摺動可能に支持されることにより、光ピックアップ装置１は半径方向に移動可能となる。なお、スライドベース２の移動は、図示しない公知の移動機構によって行われる。公知の移動機構の一例として、スライドベース２に取り付けられラックと、モータによって回転されるピニオンと、を用いる構成が挙げられる。
【００２１】
スライドベース２には、図２に示すような光学系が搭載されている。すなわち、スライドベース２上には、光源１１と、回折素子１２と、偏光ビームスプリッタ１３と、１／４波長板１４と、コリメートレンズ１５と、立上げミラー１６と、対物レンズ１７と、シリンドリカルレンズ１８と、光検出器１９と、が搭載される。なお、対物レンズ１７は、対物レンズアクチュエータ３に搭載された状態でスライドベース２上に搭載される。
【００２２】
光源１１は半導体レーザから成り、光ピックアップ装置１がＢＤに対応する構成であるために、４０５ｎｍ帯のレーザ光を出射する。回折素子１２は、光源１１から出射されたレーザ光を主光と２つの副光とに分ける。このように光源１１からの光を３つ光に分けるのは、サーボ制御を行う上で必要となる信号を得るためである。
【００２３】
偏光ビームスプリッタ１３は、１／４波長板１４と協働して光アイソレータの役目を果たす。すなわち、偏光ビームスプリッタ１３は、光源１１からのレーザ光については反射して光ディスク７０側へと導くが、光ディスク７０によって反射された戻り光については透過して光検出器１９側へと導く。
【００２４】
コリメートレンズ１５は、入射するレーザ光を平行光へと変換するレンズである。ただし、光ピックアップ装置１においては、コリメートレンズ１５は光軸方向（図２の左右を指す矢印の方向）に移動可能となっている。このため、光源１１から出射されてコリメートレンズ１５を出射するレーザ光は必ずしも平行光でなく、収束光であったり発散光であったりする。このようにコリメートレンズ１５の位置を調整可能とするのは、コリメートレンズ１５の位置を移動することによって対物レンズ１７に入射するレーザ光の収束状態或いは発散状態を調整して球面収差を抑制するためである。なお、コリメートレンズ１５は、本発明の可動レンズの実施例である。
【００２５】
コリメートレンズ１５の位置調整を行う手段としては、コリメートレンズ１５の光軸方向の位置調整ができれば、その構成は特に限定されるものではない。例えば、図３に示すようなコリメートレンズ位置調整機構６を用いてコリメートレンズ１５の位置調整を行うことができる。なお、コリメートレンズ位置調整機構６はスライドベース６上に配置される。また、コリメートレンズ位置調整機構６は、本発明のレンズ位置調整手段の実施例である。
【００２６】
図３を参照して、コリメートレンズ位置調整機構６は、コリメートレンズ１５を保持し、移動可能に設けられる可動ホルダ６１と、可動ホルダ６１が光軸方向に移動するようにガイドする２本のガイドシャフト６２と、可動ホルダ６１に取り付けられたリードナット６３に噛合するリードスクリュ６４と、リードスクリュ６４を回転するステッピングモータ６５と、を備える。なお、図示しないが基準位置を定められるようにフォトインタラプタも備えられている。このように構成することにより、ステッピングモータ６５でリードスクリュ６４を回転することによって、コリメータレンズ１５を可動ホルダ６１と共に光軸方向に移動できる。そして、ステッピングモータ６５のステップ数によってコリメートレンズ１５の位置を調整できる。
【００２７】
図２に戻って、立上げミラー１６はコリメートレンズ１５から送られてきたレーザ光を反射する。これにより、光源１１から出射されたレーザ光は、その進行方向が曲げられ、光ディスク７０の情報記録面７０ａと直交する方向に進行する光となる。
【００２８】
対物レンズ１７は、立上げミラー１６から送られてきたレーザ光を光ディスク７０の情報記録面７０ａに集光する。上述のように対物レンズ１７は対物レンズアクチュエータ３に搭載されている。そして、この対物レンズアクチュエータ３によって、対物レンズ１７は、光ディスク７０に接離する方向（図２の上下方向）であるフォーカス方向と、光ディスク７０の半径方向と平行な方向（図２では紙面に対して垂直な方向）であるトラック方向と、に移動可能となっている。また、対物レンズアクチュエータ３によって、対物レンズ１７は、フォーカス方向及びトラック方向と直交する軸の軸回り方向に傾斜可能となっている。すなわち、対物レンズアクチュエータ３によって対物レンズ１７のチルト量を調整できるようになっており、対物レンズアクチュエータ３は本発明のチルト量調整手段の実施例である。
【００２９】
図４を参照して、光ピックアップ装置１が備える対物レンズアクチュエータ３の構成について説明する。対物レンズアクチュエータ３は、アクトベース３１と、対物レンズ１７を保持するレンズホルダ３２と、を備える。アクトベース３１上には、レンズホルダ３２を挟んで対称配置となるように一対の永久磁石３３が立設されている。
【００３０】
レンズホルダ３２には、片側に３本ずつ、両側で計６本となるワイヤ３４の各一端が固定されている。各ワイヤ３４の他端は、アクトベース３１上に立設される回路基板３５に固定され、これにより、レンズホルダ３２はワイヤ３４によって揺動可能に支持された状態となっている。
【００３１】
また、レンズホルダ３２には、レンズホルダ３２の内部側壁に沿って対物レンズ１７の光軸を取り巻くように配置されるフォーカスコイル３２１と、レンズホルダ３２の外部側壁（永久磁石３３と対向する側壁）の対称位置に、それぞれ２つずつ配置される４つのトラックコイル３２２と、レンズホルダ３２の内部であってフォーカスコイル３２１の下部側に、対称的に配置される２つのチルトコイル３２３と、が取り付けられている。これらのコイル３２１〜３２３には、ワイヤ３４を介して電流が供給されるようになっている。
【００３２】
フォーカスコイル３２１に電流が流れると、永久磁石３３によって作られる磁界との電磁気的な作用によって、電流が流れる向き及び電流の大きさに応じて、対物レンズ１７はレンズホルダ３２と共にフォーカス方向Ｆに移動する。同様に、トラックコイル３２２に電流が流れると、その向き及び大きさに応じて、対物レンズ１７はレンズホルダ３２と共にトラック方向Ｔに移動する。
【００３３】
また、チルトコイル３２３に電流が流れると、その向き及び大きさに応じて、対物レンズ１７は、レンズホルダ３２と共にフォーカス方向及びトラッキング方向に直交する軸（図３（ａ）に破線で示す）の軸回り方向Ｒに回転する。この回転によって、対物レンズ１７は傾けられる（チルトされる）。
【００３４】
再び図２に戻って、情報記録層７０ａで反射された戻り光は、対物レンズ１７、立上げミラー１６、コリメートレンズ１５、１／４波長板１４、偏光ビームスプリッタ１３の順に通過して、シリンドリカルレンズ１８へと送られる。シリンドリカルレンズ１８は、入射したレーザ光に非点収差を与える。なお、シリンドリカルレンズ１８によって非点収差を与えるのは、サーボ制御を行う上で必要となる信号を得るためである。
【００３５】
シリンドリカルレンズ１８によって非点収差を与えられたレーザ光は光検出器１９の受光領域に集光する。光検出器１９は、受光領域で受光した光信号を電気信号に変化して出力する。光検出器１９から出力された電気信号は信号処理部２０で処理され、再生信号、フォーカスエラー信号、トラックエラー信号等が生成される。
【００３６】
制御部２１は、信号処理部２０からフォーカスエラー信号及びトラックエラー信号を受け取って、これらの信号に基づいて対物レンズアクチュエータ３を制御してフォーカス制御及びトラック制御といったサーボ制御を行う。ここで、フォーカス制御とは、対物レンズ１７の焦点位置が常に情報記録面７０ａに合うように行う制御のことである。また、トラック制御とは、対物レンズ１７によって集光される光スポットが光ディスク７０に形成されるトラックに常に追随するように行う制御のことである。
【００３７】
また、制御部２１は、サーミスタ５（図１参照）からの環境温度情報に基づいて、コリメートレンズ位置調整機構６を用いたコリメートレンズ１５の位置調整、及び、対物レンズアクチュエータ３を用いた対物レンズ１７のチルト量調整を行う。このような調整を行う理由及び動作の詳細については後述するが、対物レンズ１７によって情報記録面７０ａに集光する光スポットに発生する収差を適切に補正（抑制）するために、これらの調整は行われる。
【００３８】
なお、サーミスタ５は光ピックアップ装置１の環境温度を検出するために設けられ、スライドベース２上に配置されるプリント配線基板４（図１参照）上に実装されている。サーミスタ５は、本発明の温度検出手段の実施例であるが、本発明の温度検出手段はサーミスタに限らず、例えば熱電対等、他の構成に適宜変更して構わない。また、本発明の温度検出手段は対物レンズ１７の近傍の環境温度を検出できるのが好ましく、本実施形態の位置に限定されず適宜変更して構わない。
【００３９】
（光ピックアップ装置の環境温度変動に伴う動作）
以下、本実施形態の光ピックアップ装置１の環境温度変動に伴う動作について説明する。ただし、当該動作の詳細を説明する前に、環境温度の変動に伴って、コリメートレンズ１５の位置調整だけでなく、対物レンズ１７のチルト量調整も行って収差補正を行う理由について説明する。
【００４０】
光ピックアップ装置１の対物レンズ１７は樹脂によって形成された樹脂レンズとなっている。このため、環境温度の変動によって生じる球面収差を抑制する必要がある。そこで光ピックアップ装置１においては、環境温度をサーミスタ５で検出し、温度変動があった場合にはコリメートレンズ位置調整機構６によってコリメートレンズ１５の位置を調整し、球面収差を補正できるようになっている。しかし、上述したように、単にコリメートレンズ位置調整機構６でコリメートレンズ１５の位置を調整するだけでは十分な収差補正ができない（図１０参照）。このために、光ピックアップ装置１においては、温度変動があった場合に対物レンズ１７のチルト量調整も合わせて行う構成となっている。
【００４１】
以下、温度変動があった場合に対物レンズ１７のチルト量調整も合わせて行う構成となっている理由について説明する。
【００４２】
本実施形態の光ピックアップ装置１においては、その製造時に対物レンズ１７のコマ収差を補正するために次のような製造方法を採用している。まず、対物レンズ１７のコマ収差の方向が半径方向（トラック方向Ｔに同じ）に向くように、対物レンズ１７を対物レンズアクチュエータ３に搭載する。なお、対物レンズ１７のコマ収差の方向については、通常、対物レンズ製造時にその方向がわかるようにマークが形成されている。
【００４３】
次に、対物レンズアクチュエータ３をスライドベース２に搭載する際に、対物レンズアクチュエータ３（詳細にはアクトベース３１）を対物レンズ１７のコマ収差を打ち消す方向に傾ける。なお、上述のように対物レンズ１７のコマ収差の方向が半径方向（トラック方向Ｔに同じ）となるように調整しているため、対物レンズアクチュエータ３を傾ける方向は、フォーカス方向Ｆとトラック方向Ｔとの両方に対して垂直な軸の軸回り方向となる。
【００４４】
このように光ピックアップ装置１を構成する場合、対物レンズ１７の光軸が、コリメートレンズ１５を出射し、立上げミラー１６で反射された光の光軸に対して傾くことになる。このように対物レンズ１７が傾けて配置される場合にコリメートレンズ１５の位置を移動すると、半径方向にコマ収差が発生することになる。したがって、光ピックアップ装置１では、温度変動があった場合に、コリメートレンズ位置の調整に合わせて、対物レンズアクチュエータ３を用いた対物レンズ１７のチルト量調整も行う構成となっている。
【００４５】
次に、光ピックアップ装置１の環境温度変動に伴う動作について、図５を参照しながら説明する。図５は、本実施形態の光ピックアップ装置の環境温度に応じた動作例を示すフローチャートである。図５では、光ディスクに記録される情報を読み取る場合の動作（再生動作）を一例として示している。なお、光ディスクに情報を書き込む場合の動作（記録動作）についても同様である。
【００４６】
光ピックアップ装置１を用いて情報の読み取りを開始するにあたって、制御部２１によってサーミスタ５で検出された温度の確認が行われる（ステップＳ１）。そして、確認された温度に基づいてコリメートレンズ１５の位置設定、及び、対物レンズ１７のチルト設定が行われる（ステップＳ２）。具体的には、制御部２１は、光ピックアップ装置１が備えるメモリ２２（図２参照）に予め記憶されている、環境温度毎の最適なコリメートレンズ１５の位置及び対物レンズ１７のチルト量を読み出す。そして、制御部２１は読み出した位置及びチルト量となるように、コリメートレンズ位置調整機構６及び対物レンズアクチュエータ３を制御する。
【００４７】
ここで、メモリ２２に予め記憶されている最適なコリメートレンズ１５の位置、及び、対物レンズ１７のチルト量について、更に詳細に説明しておく。
【００４８】
図６は、環境温度と、ジッタ値が最小となるコリメートレンズ位置との関係を示すグラフである。図６において、横軸は環境温度（℃）、縦軸はジッタ値が最小となるステッピングモータ６５（コリメートレンズ位置調整機構６が備えるモータ；図３参照）のステップ数である。なお、図６におけるステッピングモータ６５のステップ数は、基準位置（上述のようにフォトインタラプタ等を用いて定められる位置）からのステップ数であり、ステップ数とコリメートレンズ１５の位置とは一対一の関係にある。したがって、図６の縦軸はコリメートレンズ１５の位置を表すものとも言える。
【００４９】
図６に示すように、環境温度とジッタ値が最小となるコリメートレンズ位置との関係はほぼ直線関係にあり、この関係は各光ピックアップ装置毎に固有に定まる。この点を考慮して、光ピックアップ装置１においては、環境温度毎にジッタ値が最小となるコリメートレンズ１５の位置（具体的にはステッピングモータ６５のステップ数）を予め実験等によって求めておき、温度毎の最適なコリメートレンズ位置をテーブル化してメモリ２２に記憶している。このようにすれば、環境温度に対応してメモリ２２から最適なコリメートレンズ１５の位置を読み出し、その位置にコリメートレンズ１５を配置することが可能である。
【００５０】
なお、メモリ２２に記憶するのは上述のようなテーブルではなく、環境温度と、ジッタ値が最小となるステッピングモータ６５のステップ数との関係式（例えば図６に示すような一次関数の式）でも勿論構わない。
【００５１】
図７は、環境温度と、コリメートレンズの位置を調整した後にジッタ値が最小となる対物レンズのチルト量との関係を示すグラフである。図７において、横軸は環境温度（℃）、縦軸はコリメートレンズの位置を調整した後にジッタ値が最小となる対物レンズのチルト量（分）である。
【００５２】
図７に示すように、コリメートレンズの位置を調整した後にジッタ値が最小となる対物レンズのチルト量は、環境温度が決まると一義的に定まり、その設定値は各光ピックアップ装置毎に固有に定まる。この点を考慮して光ピックアップ装置１においては、コリメートレンズ１５の位置を調整した後に、環境温度毎にジッタ値が最小となる対物レンズ１７のチルト量（具体的にはチルトコイル３２３に供給する電流値）を予め実験等によって求めておき、温度毎の最適な対物レンズ１７のチルト量をテーブル化してメモリ２２に記憶している。このようにすれば、環境温度に対応してメモリ２２から最適な対物レンズ１７のチルト量を読み出し、そのチルト量となるように対物レンズ１７をチルトすることができる。
【００５３】
なお、メモリ２２に記憶するのは上述のようなテーブルではなく、環境温度と、コリメートレンズの位置を調整した後にジッタ値が最小となる対物レンズのチルト量との関係式（例えば図７に示す曲線の近似式）でも勿論構わない。
【００５４】
図５に戻って、コリメートレンズ１５の位置設定、及び、対物レンズ１７のチルト設定が行われると、その後光ディスク７０に記録される情報の読み取り（再生）が開始される（ステップＳ３）。そして、情報の再生が開始されると、制御部２１は環境温度の変動がないか否かの監視を行う（ステップＳ４）。環境温度の変動がないか否かは、例えば、先にコリメートレンズ１５の位置、及び、対物レンズ１７のチルトを設定した時点の温度を基準に、温度変化が予め設定した閾値と比較して大きいか否かで判断する。例えば、温度変化が予め設定した閾値より小さければ環境温度の変動がないと判断され、閾値以上であれば環境温度の変動があったと判断する。
【００５５】
そして、環境温度の変動がないと判断される場合（ステップＳ４肯定）には、再生を終了するか否かが確認される（ステップＳ５）。この際、再生終了であれば、温度変動に応じた収差補正動作を終了する。一方、再生終了でない場合には、ステップＳ４に戻って環境温度の変動がないか否かの監視が引き続き行われる。
【００５６】
環境温度の変動があったと判断される場合（ステップＳ４否定）には、その際の温度に基づいて、メモリ２２からコリメートレンズ１５の位置と対物レンズ１７のチルト量を読み出し、読み出した設定となるように設定変更する（ステップＳ６）。設定変更後は、再生を終了するか否かが確認する（上述のステップＳ５に同じ）。この際、再生終了であれば、温度変動に応じた収差補正動作を終了する。一方、再生終了でない場合には、ステップＳ４に戻って環境温度の変動がないか否かの監視が引き続き行われる。
【００５７】
図８は、環境温度と、光ピックアップ装置１におけるジッタ特性との関係を示すグラフである。図８において、横軸は環境温度（℃）、縦軸はジッタ値である。本実施形態の光ピックアップ装置１においては、環境温度の変動にともなってコリメートレンズ位置の調整を行うと共に対物レンズのチルト量についても調整を行う。このように構成することによって、図８に示すように、環境温度が変動しても、いずれの温度でもジッタ値の変動を小さくでき（図８の黒塗りの四角印参照）、再生性能を向上できることがわかる。なお、図８において、白抜きの丸印と三角印は比較例として示したグラフで、図１０に示すグラフと同じものである。
【００５８】
（その他）
なお、以上に示した実施形態は本発明の一例であり、本発明は、以上に示した実施形態に限定される趣旨ではない。すなわち、本発明の目的を逸脱しない範囲で種々の変更が可能である。
【００５９】
例えば、以上に示した実施形態では、予めメモリ２２に環境温度に対応したコリメートレンズ１５の位置、及び、対物レンズ１７のチルト量に関する情報を記憶しておき、これに基づいて温度変動があった場合にコリメートレンズ１５の位置及び対物レンズ１７のチルト量を変更する構成とした。しかし、本発明はこの構成に限定される趣旨ではない。例えば、次のように構成することもできる。すなわち、メモリ２２には環境温度に対応したコリメートレンズ１５の位置のみを予め記憶しておき、これに基づいて温度変動があった場合にはコリメートレンズ１５の位置を変動する。そして、その後、収差を最も適切に抑制できる対物レンズ１７のチルト量をサーチして、サーチによって決定されたチルト量に対物レンズ１７を設定する。このような構成における、光ピックアップ装置の環境温度に応じた動作例を図９に示す。
【００６０】
図９を参照して、光ピックアップ装置１を用いて情報の読み取りを開始するにあたって、制御部２１によってサーミスタ５で検出された温度の確認が行われる（ステップＳ１１）。そして、確認された温度に基づいて、メモリ２２に予め記憶されている最適なコリメートレンズ１５の位置を読み出し、その位置にコリメートレンズ１５を設定する（ステップＳ１２）。
【００６１】
次に、例えばジッタ値（ＲＦ信号の振幅値等でも良い）等を監視しながら対物レンズ１７のチルト量を変動して、ジッタ値が最小となる場合（ＲＦ信号の振幅の場合は最大となる場合）のチルト量（最適チルト量）を検出する（ステップＳ１３）。そして、検出された最適チルト量となるように対物レンズアクチュエータ３を制御して対物レンズ１７のチルト設定を行う（ステップＳ１４）。
【００６２】
対物レンズ１７のチルト設定が行われると、その後、光ディスク７０に記録される情報の読み取り（再生）が開始される（ステップＳ１５）。そして、情報の再生が開始されると、制御部２１は環境温度の変動がないか否かの監視を行う（ステップＳ１６）。環境温度の変動がないと判断される場合（ステップＳ１６肯定）には、再生を終了するか否かが確認される（ステップＳ１７）。この際、再生終了であれば、温度変動に応じた収差補正動作を終了する。一方、再生終了でない場合には、ステップＳ１６に戻って環境温度の変動がないか否かの監視が引き続き行われる。
【００６３】
一方、環境温度の変動があったと判断される場合（ステップＳ１６否定）には、その際の温度に基づいて、メモリ２２からコリメートレンズ１５の位置を読み出し、読み出した設定となるように設定変更する（ステップＳ１８）。設定変更後に、例えばジッタ値を監視しながら対物レンズ１７のチルト量を変動して、ジッタ値が最小となる場合を検出する（ステップＳ１９）。そして、検出されたチルト量となるように対物レンズアクチュエータ３を制御して対物レンズ１７のチルト設定を行う（ステップＳ２０）。その後、再生を終了するか否かが確認する（上述のステップＳ１７に同じ）。この際、再生終了であれば、温度変動に応じた収差補正動作を終了する。一方、再生終了でない場合には、ステップＳ４に戻って環境温度の変動がないか否かの監視が引き続き行われる。
【００６４】
また、以上に示した実施形態においては、サーミスタ５からの温度情報を１つの制御部２１に出力し、この１つの制御部２１によって、環境温度の変動に対応してコリメートレンズ位置調整機構６及び対物レンズアクチュエータ３の制御を行う構成とした。しかし、本発明はこの構成に限定されない。すなわち、例えばコリメートレンズ位置調整機構６と対物レンズアクチュエータ３とに対してそれぞれ別個の制御部を設けてもよい。この場合、サーミスタ５からの温度情報をこれら別個の制御部にそれぞれ出力すればよい。
【００６５】
また、以上に示した実施形態においては、対物レンズ１７のチルト量を調整する手段として対物レンズアクチュエータ３を用いる構成とした。しかし、この構成に限定されず、例えば、光ピックアップ装置全体を傾ける手段を設け、これにより対物レンズ１７のチルト量を調整する構成等としても構わない。また、チルト量調整のために対物レンズをチルトさせる方向についても本実施形態の方向に限定されない。この場合、光ピックアップ装置１の製造時において、対物レンズ１７のコマ収差の方向及び対物レンズアクチュエータ３を傾ける方向についても本実施形態の場合とは異なる方向に調整する必要がある。
【００６６】
また、以上に示した実施形態においては、本発明における可動レンズがコリメートレンズである構成を示した。しかし、この構成に限定されない。例えば、環境温度の変動に対して発生する球面収差を補正するために例えばビームエキスパンダを用い、本発明における可動レンズがビームエキスパンダに備えられる可動レンズである構成としても良い。
【００６７】
その他、本発明は、情報の読み取りや書き込みの対象がＢＤである光ピックアップ装置に好適に適用できるが、その他の種類の光ディスクに対応する光ピックアップ装置にも適用できるのは言うまでもない。
【産業上の利用可能性】
【００６８】
本発明は、光源からの光を光記録媒体の情報記録面に集光する対物レンズが樹脂レンズで構成される光ピックアップ装置に好適に適用できる。
【図面の簡単な説明】
【００６９】
【図１】は、本実施形態の光ピックアップ装置の構成を示す概略平面図である。
【図２】は、本実施形態の光ピックアップ装置が備える光学系の構成を説明するための概略図である。
【図３】は、本実施形態の光ピックアップ装置が備えるコリメートレンズ位置調整機構の構成を示す概略平面図である。
【図４】は、本実施形態の光ピックアップ装置が備える対物レンズアクチュエータの構成を説明するための図である。
【図５】は、本実施形態の光ピックアップ装置の環境温度に応じた動作例を示すフローチャートである。
【図６】は、環境温度と、ジッタ値が最小となるコリメートレンズ位置との関係を示すグラフである。
【図７】は、環境温度と、コリメートレンズの位置を調整した後にジッタ値が最小となる対物レンズのチルト量との関係を示すグラフである。
【図８】は、環境温度と、光ピックアップ装置におけるジッタ特性との関係を示すグラフである。
【図９】は、本発明の他の実施形態を説明するための図である。
【図１０】は、従来の光ピックアップ装置の問題点を説明するための図で、環境温度の変化に対する光ピックアップ装置のジッタ特性の変化を示す図である。
【符号の説明】
【００７０】
１  光ピックアップ装置
３  対物レンズアクチュエータ（チルト調整手段）
５  サーミスタ（温度検出手段）
６  コリメートレンズ位置調整機構（レンズ位置調整手段）
１１  光源
１５  コリメートレンズ（可動レンズ）
１７  対物レンズ
２２  メモリ（記憶手段）
３２  レンズホルダ
７０  光ディスク（光記録媒体）
７０ａ  情報記録面
【図１】
2010092536.tif 000003
【図２】
2010092536.tif 000004
【図３】
2010092536.tif 000005
【図４】
2010092536.tif 000006
【図５】
2010092536.tif 000007
【図６】
2010092536.tif 000008
【図７】
2010092536.tif 000009
【図８】
2010092536.tif 000010
【図９】
2010092536.tif 000011
【図１０】
2010092536.tif 000012